(57)【要約】      （修正有）【課題】光の強弱が切り替えられ、ランプシェード部が壊れにくいベッドライトを提供する。【解決手段】ベッドライトは、台座１０と円柱箱２０を含み、円柱箱２０が台座１０の長端に設置され、円柱箱２０の中部にはがすりガラスによるガラス円柱１８が固定的に設置され、照明機構７０が中部チャンバ３２の中に位置しているときに点灯するとガラス円柱１８から弱い光が照射される。昇降機構により照明機構７０が中部チャンバ３２から伸び出した状態で点灯すると強い光が照射される。照明機構７０が中部チャンバ３２の中に収納された状態では、照明ライト２７とランプシェード２５の破損を防ぐことができる。【選択図】図１
2020181789.tif 000002
【特許請求の範囲】
【請求項１】
台座と円柱箱を含み、前記円柱箱が前記台座の長端に設置され、前記円柱箱の中には中部チャンバが設置され、前記中部チャンバの中には照明機構が設置され、前記照明機構の底部にある前記中部チャンバの中には前記照明機構に動力を提供する昇降機構が設置され、前記円柱箱の左右両側端面には第一固定ブロックがいずれも固定的に設置され、右側に位置する前記第一固定ブロックの中には接触式センサーが固定的に植設され、前記第一固定ブロックの頂部にある前記円柱箱の外端面には第二固定ブロックがいずれも固定的に設置され、前記第二固定ブロックには照明機構のオンとオフを制御するスライド板機構が固定的に設置され、前記円柱箱の中部にはガラス円柱が固定的に設置され、前記ガラス円柱がすりガラスにより設置され、前記ガラス円柱が前記照明ライトを前記中部チャンバの中に位置しているときに照明させ、その時ベッドライトは光度が比較的に弱い状態にあり、前記照明機構が前記中部チャンバから伸び出す時に、光度が比較的に強い状態にあり、前記スライド板機構は前記第一固定ブロックと第二固定ブロックとの間に固定的に設置されるガイドスライドロッドを含み、前記ガイドスライドロッドの外周にはスライド板がいずれもスライドできるように設置され、前記スライド板が蛍光条により設計され、前記スライド板が前記接触式センサーと接触する時に前記照明機構が電流を通しなく、離脱する時に照明機構が電流を通し、前記スライド板の片側端面には引っかかり溝が設置され、前記円柱箱の左右両側端面には引っかかりブロックがスライドできるように設置され、前記引っかかりブロックの底端には復帰機構が固定的に設置され、前記スライド板の重力が前記復帰機構の弾力より小さく、手動により前記スライド板を上にスライドさせ、前記スライド板と前記接触式センサーとを離脱させ、それにより前記照明機構を電流を通させ、同時に前記引っかかりブロックを前記引っかかり溝の中に引っかからせ、前記スライド板を落らせなく、それにより前記照明機構の光線を前記ガラス円柱に透らせ前記円柱箱の外部に照射させることができ、前記台座の頂端にはまた充電機構が設置されることを特徴とするベッドライト。
【請求項２】
前記照明機構は前記中部チャンバの中にスライドできるように設置されるスライド盤を含み、前記スライド盤の頂端には第一反射鏡が固定的に設置され、前記第一反射鏡が光線を前記ガラス円柱を透らせて前記円柱箱の外部に反射させることができ、前記第一反射鏡の中には柱が固定的に設置され、前記柱の上部分には四組の支えロッドが固定的に設置され、前記柱の頂部にはランプシェードが設置され、前記ランプシェードが透明的に設計され、前記ランプシェードの中にはライトチャンバが設置され、前記支えロッドと前記ライトチャンバの内壁とが固定的に連結され、これにより前記支えロッドが支え作用を果たし、前記ライトチャンバの頂壁には照明ライトが固定的に設置され、前記照明ライトの周りにある前記ライトチャンバの内壁には第一反射鏡が固定的に設置され、前記ランプシェードの頂端には頂板が固定的に設置され、前記頂板が前記円柱箱の上に覆うことができ、埃が前記中部チャンバの中に落ちることを防ぎ、前記台座の頂端には円形溝が設置され、前記円形溝の中にはリールが回転できるように設置され、前記リールと前記円形溝の片側端壁との間にはねじりバネが取付けられ、前記リールには電線が巻かれ、前記電線の一端が前記柱と一本の前記支えロッドとを貫通した後に前記照明ライトと電気的に接続され、前記電線のもう一端が前記接触式センサーと電気的に接続され、スライド盤が上にスライドし、ランプシェードを前記中部チャンバから滑り出させ、それにより照明ライトを前記中部チャンバから滑り出させることができることを特徴とする請求項１に記載のベッドライト。
【請求項３】
前記昇降機構は前記円柱箱の底部外周に回転できるように設置されるスリーブを含み、前記スリーブの底部が前記台座の頂部端面の中に回転できるように設置され、前記円形溝の右側にある前記台座の中には伝動チャンバが設置され、前記伝動チャンバの中には伝動軸が回転できるように設置され、前記伝動軸の外周には動力歯車が固定的に設置され、前記動力歯車と前記スリーブの内壁とが噛み合い設置され、前記伝動軸の外周には端面歯車が固定的に設置され、前記伝動軸が前記動力歯車の頂部に位置しており、前記伝動チャンバの頂壁には矩形溝が設置され、前記中部チャンバの底壁には第一スライド溝が設置され、前記第一スライド溝と前記矩形溝との間にはねじロッドが回転できるように設置され、前記矩形溝の中に位置している前記ねじロッドの外周には伝動歯車が固定的に設置され、前記伝動歯車と前記端面歯車とが噛み合い設置され、前記第一スライド溝の中には二組の左右に対称している第一スライドブロックがスライドできるように設置され、前記第一スライドブロックと前記ねじロッドとがねじ山により連結され、前記スライド盤の底部端面には二組の左右に対称している第二スライド溝が設置され、前記第二スライド溝の中には第二スライドブロックがいずれもスライドできるように設置され、二組の前記第二スライドブロックと二組の前記第一スライドブロックとの間には二組の昇降ロッドが交差できるように設置され、前記昇降ロッドがそれぞれ前記第二スライドブロックと、前記第一スライドブロックとヒンジにより連結され、且つ二組の前記昇降ロッドの中部がヒンジにより連結され、手動により前記スリーブを回転させ、前記動力歯車を回転させ、それにより前記伝動軸を回転させ、前記伝動軸が前記端面歯車を回転連動させ、前記ねじロッドを回転させ、これにより前記昇降ロッドが前記スライド盤を上に突き上げる又は下に引き戻すことができることを特徴とする請求項１に記載のベッドライト。
【発明の詳細な説明】
【技術分野】
【０００１】
本発明は照明ライト技術分野に関わり、具体的にはベッドライトである。
【背景技術】
【０００２】
現在、市販のベッドライトは、大部分が単一の照明機能をしか持たなく、構造が比較的に簡単であり、夜に使用する時、スイッチを探すことが必要であり、また、スイッチを探す時に、ライトにぶつけやすく、それにより照明ライトを壊し、そして伝統的なベッドライトが夜に使用する時に、灯光が強く、使用者の目にとってよくない。
【先行技術文献】
【特許文献】
【０００３】
【特許文献１】中国特許出願公開第１０５９７２５５１号明細書
【発明の概要】
【発明が解決しようとする課題】
【０００４】
本発明はベッドライトを提供し、既存技術にある上記の欠点を解消することを目的とする。
【課題を解決するための手段】
【０００５】
本発明のベッドライトは、台座と円柱箱を含み、前記円柱箱が前記台座の長端に設置され、前記円柱箱の中には中部チャンバが設置され、前記中部チャンバの中には照明機構が設置され、前記照明機構の底部にある前記中部チャンバの中には前記照明機構に動力を提供する昇降機構が設置され、前記円柱箱の左右両側端面には第一固定ブロックがいずれも固定的に設置され、右側に位置する前記第一固定ブロックの中には接触式センサーが固定的に植設され、前記第一固定ブロックの頂部にある前記円柱箱の外端面には第二固定ブロックがいずれも固定的に設置され、前記第二固定ブロックには照明機構のオンとオフを制御するスライド板機構が固定的に設置され、前記円柱箱の中部にはガラス円柱が固定的に設置され、前記ガラス円柱がすりガラスにより設置され、前記ガラス円柱が前記照明ライトを前記中部チャンバの中に位置しているときに照明させ、その時ベッドライトは光度が比較的に弱い状態にあり、前記照明機構が前記中部チャンバから伸び出す時に、光度が比較的に強い状態にあり、前記スライド板機構は前記第一固定ブロックと第二固定ブロックとの間に固定的に設置されるガイドスライドロッドを含み、前記ガイドスライドロッドの外周にはスライド板がいずれもスライドできるように設置され、前記スライド板が蛍光条により設計され、前記スライド板が前記接触式センサーと接触する時に前記照明機構が電流を通しなく、離脱する時に照明機構が電流を通し、前記スライド板の片側端面には引っかかり溝が設置され、前記円柱箱の左右両側端面には引っかかりブロックがスライドできるように設置され、前記引っかかりブロックの底端には復帰機構が固定的に設置され、前記スライド板の重力が前記復帰機構の弾力より小さく、手動により前記スライド板を上にスライドさせ、前記スライド板と前記接触式センサーとを離脱させ、それにより前記照明機構を電流を通させ、同時に前記引っかかりブロックを前記引っかかり溝の中に引っかからせ、前記スライド板を落らせなく、それにより前記照明機構の光線を前記ガラス円柱に透らせ前記円柱箱の外部に照射させることができ、前記台座の頂端にはまた充電機構が設置される。
【０００６】
更の技術プラン、前記照明機構は前記中部チャンバの中にスライドできるように設置されるスライド盤を含み、前記スライド盤の頂端には第一反射鏡が固定的に設置され、前記第一反射鏡が光線を前記ガラス円柱を透らせて前記円柱箱の外部に反射させることができ、前記第一反射鏡の中には柱が固定的に設置され、前記柱の上部分には四組の支えロッドが固定的に設置され、前記柱の頂部にはランプシェードが設置され、前記ランプシェードが透明的に設計され、前記ランプシェードの中にはライトチャンバが設置され、前記支えロッドと前記ライトチャンバの内壁とが固定的に連結され、これにより前記支えロッドが支え作用を果たし、前記ライトチャンバの頂壁には照明ライトが固定的に設置され、前記照明ライトの周りにある前記ライトチャンバの内壁には第一反射鏡が固定的に設置され、前記ランプシェードの頂端には頂板が固定的に設置され、前記頂板が前記円柱箱の上に覆うことができ、埃が前記中部チャンバの中に落ちることを防ぎ、前記台座の頂端には円形溝が設置され、前記円形溝の中にはリールが回転できるように設置され、前記リールと前記円形溝の片側端壁との間にはねじりバネが取付けられ、前記リールには電線が巻かれ、前記電線の一端が前記柱と一本の前記支えロッドとを貫通した後に前記照明ライトと電気的に接続され、前記電線のもう一端が前記接触式センサーと電気的に接続され、スライド盤が上にスライドし、ランプシェードを前記中部チャンバから滑り出させ、それにより照明ライトを前記中部チャンバから滑り出させることができる。
【０００７】
更の技術プラン、前記昇降機構は前記円柱箱の底部外周に回転できるように設置されるスリーブを含み、前記スリーブの底部が前記台座の頂部端面の中に回転できるように設置され、前記円形溝の右側にある前記台座の中には伝動チャンバが設置され、前記伝動チャンバの中には伝動軸が回転できるように設置され、前記伝動軸の外周には動力歯車が固定的に設置され、前記動力歯車と前記スリーブの内壁とが噛み合い設置され、前記伝動軸の外周には端面歯車が固定的に設置され、前記伝動軸が前記動力歯車の頂部に位置しており、前記伝動チャンバの頂壁には矩形溝が設置され、前記中部チャンバの底壁には第一スライド溝が設置され、前記第一スライド溝と前記矩形溝との間にはねじロッドが回転できるように設置され、前記矩形溝の中に位置している前記ねじロッドの外周には伝動歯車が固定的に設置され、前記伝動歯車と前記端面歯車とが噛み合い設置され、前記第一スライド溝の中には二組の左右に対称している第一スライドブロックがスライドできるように設置され、前記第一スライドブロックと前記ねじロッドとがねじ山により連結され、前記スライド盤の底部端面には二組の左右に対称している第二スライド溝が設置され、前記第二スライド溝の中には第二スライドブロックがいずれもスライドできるように設置され、二組の前記第二スライドブロックと二組の前記第一スライドブロックとの間には二組の昇降ロッドが交差できるように設置され、前記昇降ロッドがそれぞれ前記第二スライドブロックと、前記第一スライドブロックとヒンジにより連結され、且つ二組の前記昇降ロッドの中部がヒンジにより連結され、手動により前記スリーブを回転させ、前記動力歯車を回転させ、それにより前記伝動軸を回転させ、前記伝動軸が前記端面歯車を回転連動させ、前記ねじロッドを回転させ、これにより前記昇降ロッドが前記スライド盤を上に突き上げる又は下に引き戻すことができる。
【発明の効果】
【０００８】
本発明の有益的な効果には、本発明のベッドライトが弱い光と強い光の二種類の間に切り替えることができ、それにより人々の目が強い光に刺激されることを避け、また照明機構が中部チャンバの中に収納されることができ、照明ライトとランプシェードとが壊れにくく、同時に蓋が円柱箱の頂部に覆って埃を防ぐことができ、設置されるスライド板が本発明を暗闇の中につけやすいことができる。
【図面の簡単な説明】
【０００９】
【図１】図１は本発明のベッドライトの全体構成概略図
【図２】図２は本発明の中の引っかかりブロックの拡大概略図
【図３】図３は図１の中のＡの局部拡大概略図
【図４】図４は本発明の中のスライド板の概略図
【図５】図５は本発明の中のガラス円柱の概略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参考し、本発明のベッドライトは、台座１０と円柱箱２０を含み、前記円柱箱２０が前記台座１０の長端に設置され、前記円柱箱２０の中には中部チャンバ３２が設置され、前記中部チャンバ３２の中には照明機構７０が設置され、前記照明機構７０の底部にある前記中部チャンバ３２の中には前記照明機構７０に動力を提供する昇降機構７１が設置され、前記円柱箱２０の左右両側端面には第一固定ブロック５６がいずれも固定的に設置され、右側に位置する前記第一固定ブロック５６の中には接触式センサー５５が固定的に植設され、前記第一固定ブロック５６の頂部にある前記円柱箱２０の外端面には第二固定ブロック２２がいずれも固定的に設置され、前記第二固定ブロック２２には照明機構７０のオンとオフを制御するスライド板機構７２が固定的に設置され、前記円柱箱２０の中部にはガラス円柱１８が固定的に設置され、前記ガラス円柱１８がすりガラスにより設置され、前記ガラス円柱１８が前記照明ライトを前記中部チャンバ３２の中に位置しているときに照明させ、その時ベッドライトは光度が比較的に弱い状態にあり、前記照明機構７０が前記中部チャンバ３２から伸び出す時に、光度が比較的に強い状態にあり、前記スライド板機構７２は前記第一固定ブロック５６と第二固定ブロック２２との間に固定的に設置されるガイドスライドロッド２１を含み、前記ガイドスライドロッド２１の外周にはスライド板１９がいずれもスライドできるように設置され、前記スライド板１９が蛍光条により設計され、前記スライド板１９が前記接触式センサー５５と接触する時に前記照明機構７０が電流を通しなく、離脱する時に照明機構７０が電流を通し、前記スライド板１９の片側端面には引っかかり溝３０が設置され、前記円柱箱２０の左右両側端面には引っかかりブロック２３がスライドできるように設置され、前記引っかかりブロック２３の底端には復帰機構４２が固定的に設置され、前記スライド板１９の重力が前記復帰機構４２の弾力より小さく、手動により前記スライド板１９を上にスライドさせ、前記スライド板１９と前記接触式センサー５５とを離脱させ、それにより前記照明機構７０を電流を通させ、同時に前記引っかかりブロック２３を前記引っかかり溝３０の中に引っかからせ、前記スライド板１９を落らせなく、それにより前記照明機構７０の光線を前記ガラス円柱１８に透らせ前記円柱箱２０の外部に照射させることができ、前記台座１０の頂端にはまた充電機構１６が設置される。
【００１２】
前記照明機構７０は前記中部チャンバ３２の中にスライドできるように設置されるスライド盤３４を含み、前記スライド盤３４の頂端には第一反射鏡３１が固定的に設置され、前記第一反射鏡３１が光線を前記ガラス円柱１８を透らせて前記円柱箱２０の外部に反射させることができ、前記第一反射鏡３１の中には柱３３が固定的に設置され、前記柱３３の上部分には四組の支えロッド２９が固定的に設置され、前記柱３３の頂部にはランプシェード２５が設置され、前記ランプシェード２５が透明的に設計され、前記ランプシェード２５の中にはライトチャンバ２８が設置され、前記支えロッド２９と前記ライトチャンバ２８の内壁とが固定的に連結され、これにより前記支えロッド２９が支え作用を果たし、前記ライトチャンバ２８の頂壁には照明ライト２７が固定的に設置され、前記照明ライト２７の周りにある前記ライトチャンバ２８の内壁には第一反射鏡２６が固定的に設置され、前記ランプシェード２５の頂端には頂板２４が固定的に設置され、前記頂板２４が前記円柱箱２０の上に覆うことができ、埃が前記中部チャンバ２８の中に落ちることを防ぎ、前記台座１０の頂端には円形溝１２が設置され、前記円形溝１２の中にはリール１３が回転できるように設置され、前記リール１３と前記円形溝１２の片側端壁との間にはねじりバネ１４が取付けられ、前記リール１３には電線１５が巻かれ、前記電線１５の一端が前記柱３３と一本の前記支えロッド２９とを貫通した後に前記照明ライト２７と電気的に接続され、前記電線１５のもう一端が前記接触式センサー５５と電気的に接続され、スライド盤３４が上にスライドし、ランプシェード２５を前記中部チャンバ３２から滑り出させ、それにより照明ライト２７を前記中部チャンバ３２から滑り出させることができる。
【００１３】
前記昇降機構７１は前記円柱箱２０の底部外周に回転できるように設置されるスリーブ１１を含み、前記スリーブ１１の底部が前記台座１０の頂部端面の中に回転できるように設置され、前記円形溝１２の右側にある前記台座１０の中には伝動チャンバ４７が設置され、前記伝動チャンバ４７の中には伝動軸４９が回転できるように設置され、前記伝動軸４９の外周には動力歯車５１が固定的に設置され、前記動力歯車５１と前記スリーブ１１の内壁とが噛み合い設置され、前記伝動軸４９の外周には端面歯車４８が固定的に設置され、前記伝動軸４９が前記動力歯車５１の頂部に位置しており、前記伝動チャンバ４７の頂壁には矩形溝４４が設置され、前記中部チャンバ３２の底壁には第一スライド溝１７が設置され、前記第一スライド溝１７と前記矩形溝４４との間にはねじロッド５４が回転できるように設置され、前記矩形溝４４の中に位置している前記ねじロッド５４の外周には伝動歯車４５が固定的に設置され、前記伝動歯車４５と前記端面歯車４８とが噛み合い設置され、前記第一スライド溝１７の中には二組の左右に対称している第一スライドブロック５３がスライドできるように設置され、前記第一スライドブロック５３と前記ねじロッド５４とがねじ山により連結され、前記スライド盤３４の底部端面には二組の左右に対称している第二スライド溝３６が設置され、前記第二スライド溝３６の中には第二スライドブロック３５がいずれもスライドできるように設置され、二組の前記第二スライドブロック３５と二組の前記第一スライドブロック５３との間には二組の昇降ロッド３７が交差できるように設置され、前記昇降ロッド３７がそれぞれ前記第二スライドブロック３５と、前記第一スライドブロック５３とヒンジにより連結され、且つ二組の前記昇降ロッド３７の中部がヒンジにより連結され、手動により前記スリーブ１１を回転させ、前記動力歯車５１を回転させ、それにより前記伝動軸４９を回転させ、前記伝動軸４９が前記端面歯車４８を回転連動させ、前記ねじロッド５４を回転させ、これにより前記昇降ロッド３７が前記スライド盤３４を上に突き上げる又は下に引き戻すことができる。
【００１４】
使用する時に、比較的に弱い光線が必要な時に、手動によりスライド板１９を上にスライドさせ、前記スライド板１９と前記接触式センサー５５とを離脱させ、それにより前記照明機構７０に電流を通させ、同時に前記引っかかりブロック２３を前記引っかかり溝３０の中に引っかからせ、前記スライド板１９を落らせなく、それにより前記照明機構７０の光線を前記ガラス円柱１８に透らせ前記円柱箱２０の外部に照射させることができ、比較的に強い光線が必要な時に、手動により前記スリーブ１１を回転させ、前記動力歯車５１を回転させ、それにより前記伝動軸４９を回転させ、前記伝動軸４９が前記端面歯車４８を回転連動させ、それにより前記端面歯車４８が前記伝動歯車４５を回転連動させ、前記伝動歯車４５が前記ねじロッド５４を回転連動させ、それにより前記第一スライドブロック５３を互いに近づかせることができ、それにより前記昇降ロッド３７が前記スライド盤３４を上に突き上げることができ、同時にスライド板１９を上にスライドさせ、接触式センサー５５とスライド板１９とを離脱させ、それにより照明機構７０を作動させ、ランプシェード２５が上に前記中部チャンバ３２から滑り出し、それにより照明ライト２７を前記中部チャンバ３２から滑り出させ、照明ライト２７を点灯した後に、光線が反射鏡２６により反射し、それにより前記円柱箱２０の底部をもっと明らかに照らさせる。
【００１５】
本発明の有益な効果は：本発明のベッドライトが弱い光と強い光の二種類の間に切り替えることができ、それにより人々の目が強い光に刺激されることを避け、また照明機構が中部チャンバの中に収納されることができ、照明ライトとランプシェードとが壊れにくく、同時に蓋が円柱箱の頂部に覆って埃を防ぐことができ、設置されるスライド板が本発明を暗闇の中につけやすいことができる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020181789.tif 000003
【図２】
2020181789.tif 000004
【図３】
2020181789.tif 000005
【図４】
2020181789.tif 000006
【図５】
2020181789.tif 000007
【手続補正書】
【提出日】令和1年6月23日(2019.6.23)
【手続補正１】
【補正対象書類名】特許請求の範囲
【補正対象項目名】全文
【補正方法】変更
【補正の内容】
【特許請求の範囲】
【請求項１】
台座と円柱箱を含み、前記円柱箱が前記台座の上側端面に設置され、前記円柱箱の中には中部チャンバが設置され、前記中部チャンバの中には照明機構が設置され、前記照明機構の底部にある前記中部チャンバの中には昇降機構が設置され、前記円柱箱の左右両側端面には第一固定ブロックがいずれも固定的に設置され、右側に位置する前記第一固定ブロックの中には接触式センサーが固定的に植設され、前記第一固定ブロックの頂部にある前記円柱箱の外端面には第二固定ブロックがいずれも固定的に設置され、前記第二固定ブロックには照明機構のオンとオフを制御するスライド板機構が固定的に設置され、前記円柱箱の中部にはガラス円柱が固定的に設置され、前記ガラス円柱がすりガラスにより設置され、前記スライド板機構は前記第一固定ブロックと第二固定ブロックとの間に固定的に設置されるガイドスライドロッドを含み、前記ガイドスライドロッドの外周にはスライド板がいずれもスライドできるように設置され、前記スライド板が前記接触式センサーと接触する時に前記照明機構が電流を通しなく、離脱する時に照明機構が電流を通し、前記スライド板の片側端面には引っかかり溝が設置され、前記円柱箱の左右両側端面には引っかかりブロックがスライドできるように設置され、前記引っかかりブロックの底端には復帰機構が固定的に設置され、前記スライド板の重力が前記復帰機構の弾力より小さく、前記スライド板が上にスライドし、前記スライド板と前記接触式センサーとを離脱させ、それにより前記照明機構を電流を通させ、同時に前記引っかかりブロックを前記引っかかり溝の中に引っかからせ、前記スライド板を落らせなく、それにより前記照明機構の光線を前記ガラス円柱に透らせ前記円柱箱の外部に照射させることができ、前記台座の頂端にはまた充電機構が設置されており、
前記照明機構は前記中部チャンバの中にスライドできるように設置されるスライド盤を含み、前記スライド盤の頂端には第一反射鏡が固定的に設置され、前記第一反射鏡が光線を前記ガラス円柱を透らせて前記円柱箱の外部に反射させることができ、前記第一反射鏡の中には柱が固定的に設置され、前記柱の上部分には四組の支えロッドが固定的に設置され、前記柱の頂部にはランプシェードが設置され、前記ランプシェードが透明的に設計され、前記ランプシェードの中にはライトチャンバが設置され、前記支えロッドと前記ライトチャンバの内壁とが固定的に連結され、これにより前記支えロッドが支え作用を果たし、前記ライトチャンバの頂壁には照明ライトが固定的に設置され、前記照明ライトの周りにある前記ライトチャンバの内壁には第一反射鏡が固定的に設置され、前記ランプシェードの頂端には頂板が固定的に設置され、前記頂板が前記円柱箱の上に覆うことができ、埃が前記中部チャンバの中に落ちることを防ぎ、前記台座の頂端には円形溝が設置され、前記円形溝の中にはリールが回転できるように設置され、前記リールと前記円形溝の片側端壁との間にはねじりバネが取付けられ、前記リールには電線が巻かれ、前記電線の一端が前記柱と一本の前記支えロッドとを貫通した後に前記照明ライトと電気的に接続され、前記電線のもう一端が前記接触式センサーと電気的に接続され、スライド盤が上にスライドし、ランプシェードを前記中部チャンバから滑り出させ、それにより照明ライトを前記中部チャンバから滑り出させ、
前記昇降機構は前記円柱箱の底部外周に回転できるように設置されるスリーブを含み、前記スリーブの底部が前記台座の頂部端面の中に回転できるように設置され、前記円形溝の右側にある前記台座の中には伝動チャンバが設置され、前記伝動チャンバの中には伝動軸が回転できるように設置され、前記伝動軸の外周には動力歯車が固定的に設置され、前記動力歯車と前記スリーブの内壁とが噛み合い設置され、前記伝動軸の外周には端面歯車が固定的に設置され、前記伝動軸が前記動力歯車の頂部に位置しており、前記伝動チャンバの頂壁には矩形溝が設置され、前記中部チャンバの底壁には第一スライド溝が設置され、前記第一スライド溝と前記矩形溝との間にはねじロッドが回転できるように設置され、前記矩形溝の中に位置している前記ねじロッドの外周には伝動歯車が固定的に設置され、前記伝動歯車と前記端面歯車とが噛み合い設置され、前記第一スライド溝の中には二組の左右に対称している第一スライドブロックがスライドできるように設置され、前記第一スライドブロックと前記ねじロッドとがねじ山により連結され、前記スライド盤の底部端面には二組の左右に対称している第二スライド溝が設置され、前記第二スライド溝の中には第二スライドブロックがいずれもスライドできるように設置され、二組の前記第二スライドブロックと二組の前記第一スライドブロックとの間には二組の昇降ロッドが交差できるように設置され、前記昇降ロッドがそれぞれ前記第二スライドブロックと、前記第一スライドブロックとヒンジにより連結され、且つ二組の前記昇降ロッドの中部がヒンジにより連結され、手動により前記スリーブを回転させ、前記動力歯車を回転させ、それにより前記伝動軸を回転させ、前記伝動軸が前記端面歯車を回転連動させ、前記ねじロッドを回転させ、これにより前記昇降ロッドが前記スライド盤を上に突き上げる又は下に引き戻すことができ、
比較的に弱い光線が必要な時に、前記スライド板が上にスライドし、前記スライド板と前記接触式センサーとを離脱させ、それにより前記照明機構に電流を通させ、同時に前記引っかかりブロックを前記引っかかり溝の中に引っかからせ、前記スライド板を落らせなく、それにより前記照明機構の光線を前記ガラス円柱に透らせ前記円柱箱の外部に照射させることができ、比較的に強い光線が必要な時に、手動により前記スリーブを回転させ、前記動力歯車を回転させ、それにより前記伝動軸を回転させ、前記伝動軸が前記端面歯車を回転連動させ、それにより前記端面歯車が前記伝動歯車を回転連動させ、前記伝動歯車が前記ねじロッドを回転連動させ、それにより前記第一スライドブロックを互いに近づかせることができ、それにより前記昇降ロッドが前記スライド盤を上に突き上げることができ、同時に前記スライド板を上にスライドさせ、前記接触式センサーと前記スライド板とを離脱させ、それにより前記照明機構を作動させ、前記ランプシェードが上に前記中部チャンバから滑り出し、それにより前記照明ライトを前記中部チャンバから滑り出させ、前記照明ライトを点灯した後に、光線が前記反射鏡により反射し、それにより前記円柱箱の底部をもっと明らかに照らさせることを特徴とするベッドライト。
【手続補正２】
【補正対象書類名】明細書
【補正対象項目名】全文
【補正方法】変更
【補正の内容】
【発明の詳細な説明】
【技術分野】
【０００１】
本発明は照明ライト技術分野に関わり、具体的にはベッドライトである。
【背景技術】
【０００２】
現在、市販のベッドライトは、大部分が単一の照明機能をしか持たなく、構造が比較的に簡単であり、夜に使用する時、スイッチを探すことが必要であり、また、スイッチを探す時に、ライトにぶつけやすく、それにより照明ライトを壊し、そして伝統的なベッドライトが夜に使用する時に、灯光が強く、使用者の目にとってよくない。
【先行技術文献】
【特許文献】
【０００３】
【特許文献１】中国特許出願公開第１０５９７２５５１号明細書
【発明の概要】
【発明が解決しようとする課題】
【０００４】
本発明はベッドライトを提供し、既存技術にある上記の欠点を解消することを目的とする。
【課題を解決するための手段】
【０００５】
本発明のベッドライトは、台座と円柱箱を含み、前記円柱箱が前記台座の上側端面に設置され、前記円柱箱の中には中部チャンバが設置され、前記中部チャンバの中には照明機構が設置され、前記照明機構の底部にある前記中部チャンバの中には昇降機構が設置され、前記円柱箱の左右両側端面には第一固定ブロックがいずれも固定的に設置され、右側に位置する前記第一固定ブロックの中には接触式センサーが固定的に植設され、前記第一固定ブロックの頂部にある前記円柱箱の外端面には第二固定ブロックがいずれも固定的に設置され、前記第二固定ブロックには照明機構のオンとオフを制御するスライド板機構が固定的に設置され、前記円柱箱の中部にはガラス円柱が固定的に設置され、前記ガラス円柱がすりガラスにより設置され、前記スライド板機構は前記第一固定ブロックと第二固定ブロックとの間に固定的に設置されるガイドスライドロッドを含み、前記ガイドスライドロッドの外周にはスライド板がいずれもスライドできるように設置され、前記スライド板が前記接触式センサーと接触する時に前記照明機構が電流を通しなく、離脱する時に照明機構が電流を通し、前記スライド板の片側端面には引っかかり溝が設置され、前記円柱箱の左右両側端面には引っかかりブロックがスライドできるように設置され、前記引っかかりブロックの底端には復帰機構が固定的に設置され、前記スライド板の重力が前記復帰機構の弾力より小さく、前記スライド板が上にスライドし、前記スライド板と前記接触式センサーとを離脱させ、それにより前記照明機構を電流を通させ、同時に前記引っかかりブロックを前記引っかかり溝の中に引っかからせ、前記スライド板を落らせなく、それにより前記照明機構の光線を前記ガラス円柱に透らせ前記円柱箱の外部に照射させることができ、前記台座の頂端にはまた充電機構が設置される。
【０００６】
更の技術プラン、前記照明機構は前記中部チャンバの中にスライドできるように設置されるスライド盤を含み、前記スライド盤の頂端には第一反射鏡が固定的に設置され、前記第一反射鏡が光線を前記ガラス円柱を透らせて前記円柱箱の外部に反射させることができ、前記第一反射鏡の中には柱が固定的に設置され、前記柱の上部分には四組の支えロッドが固定的に設置され、前記柱の頂部にはランプシェードが設置され、前記ランプシェードが透明的に設計され、前記ランプシェードの中にはライトチャンバが設置され、前記支えロッドと前記ライトチャンバの内壁とが固定的に連結され、これにより前記支えロッドが支え作用を果たし、前記ライトチャンバの頂壁には照明ライトが固定的に設置され、前記照明ライトの周りにある前記ライトチャンバの内壁には第一反射鏡が固定的に設置され、前記ランプシェードの頂端には頂板が固定的に設置され、前記頂板が前記円柱箱の上に覆うことができ、埃が前記中部チャンバの中に落ちることを防ぎ、前記台座の頂端には円形溝が設置され、前記円形溝の中にはリールが回転できるように設置され、前記リールと前記円形溝の片側端壁との間にはねじりバネが取付けられ、前記リールには電線が巻かれ、前記電線の一端が前記柱と一本の前記支えロッドとを貫通した後に前記照明ライトと電気的に接続され、前記電線のもう一端が前記接触式センサーと電気的に接続され、スライド盤が上にスライドし、ランプシェードを前記中部チャンバから滑り出させ、それにより照明ライトを前記中部チャンバから滑り出させることができる。
【０００７】
更の技術プラン、前記昇降機構は前記円柱箱の底部外周に回転できるように設置されるスリーブを含み、前記スリーブの底部が前記台座の頂部端面の中に回転できるように設置され、前記円形溝の右側にある前記台座の中には伝動チャンバが設置され、前記伝動チャンバの中には伝動軸が回転できるように設置され、前記伝動軸の外周には動力歯車が固定的に設置され、前記動力歯車と前記スリーブの内壁とが噛み合い設置され、前記伝動軸の外周には端面歯車が固定的に設置され、前記伝動軸が前記動力歯車の頂部に位置しており、前記伝動チャンバの頂壁には矩形溝が設置され、前記中部チャンバの底壁には第一スライド溝が設置され、前記第一スライド溝と前記矩形溝との間にはねじロッドが回転できるように設置され、前記矩形溝の中に位置している前記ねじロッドの外周には伝動歯車が固定的に設置され、前記伝動歯車と前記端面歯車とが噛み合い設置され、前記第一スライド溝の中には二組の左右に対称している第一スライドブロックがスライドできるように設置され、前記第一スライドブロックと前記ねじロッドとがねじ山により連結され、前記スライド盤の底部端面には二組の左右に対称している第二スライド溝が設置され、前記第二スライド溝の中には第二スライドブロックがいずれもスライドできるように設置され、二組の前記第二スライドブロックと二組の前記第一スライドブロックとの間には二組の昇降ロッドが交差できるように設置され、前記昇降ロッドがそれぞれ前記第二スライドブロックと、前記第一スライドブロックとヒンジにより連結され、且つ二組の前記昇降ロッドの中部がヒンジにより連結され、手動により前記スリーブを回転させ、前記動力歯車を回転させ、それにより前記伝動軸を回転させ、前記伝動軸が前記端面歯車を回転連動させ、前記ねじロッドを回転させ、これにより前記昇降ロッドが前記スライド盤を上に突き上げる又は下に引き戻すことができる。
【発明の効果】
【０００８】
本発明の有益的な効果には、本発明のベッドライトが弱い光と強い光の二種類の間に切り替えることができ、それにより人々の目が強い光に刺激されることを避け、また照明機構が中部チャンバの中に収納されることができ、照明ライトとランプシェードとが壊れにくく、同時に蓋が円柱箱の頂部に覆って埃を防ぐことができ、設置されるスライド板が本発明を暗闇の中につけやすいことができる。
【図面の簡単な説明】
【０００９】
【図１】図１は本発明のベッドライトの全体構成概略図
【図２】図２は本発明の中の引っかかりブロックの拡大概略図
【図３】図３は図１の中のＡの局部拡大概略図
【図４】図４は本発明の中のスライド板の概略図
【図５】図５は本発明の中のガラス円柱の概略図
【発明を実施するための形態】
【００１０】
下記に図１−５をあわせて本発明について詳しく説明し、便利に説明するために、下記の方向を以下のように規定する：以下に述べる上下左右前後の方向と図１の自身投影関係の上下左右前後の方向とが一致である。
【００１１】
図１−５を参考し、本発明のベッドライトは、台座１０と円柱箱２０を含み、前記円柱箱２０が前記台座１０の上側端面に設置され、前記円柱箱２０の中には中部チャンバ３２が設置され、前記中部チャンバ３２の中には照明機構７０が設置され、前記照明機構７０の底部にある前記中部チャンバ３２の中には昇降機構７１が設置され、前記円柱箱２０の左右両側端面には第一固定ブロック５６がいずれも固定的に設置され、右側に位置する前記第一固定ブロック５６の中には接触式センサー５５が固定的に植設され、前記第一固定ブロック５６の頂部にある前記円柱箱２０の外端面には第二固定ブロック２２がいずれも固定的に設置され、前記第二固定ブロック２２には照明機構７０のオンとオフを制御するスライド板機構７２が固定的に設置され、前記円柱箱２０の中部にはガラス円柱１８が固定的に設置され、前記ガラス円柱１８がすりガラスにより設置され、前記スライド板機構７２は前記第一固定ブロック５６と第二固定ブロック２２との間に固定的に設置されるガイドスライドロッド２１を含み、前記ガイドスライドロッド２１の外周にはスライド板１９がいずれもスライドできるように設置され、前記スライド板１９が前記接触式センサー５５と接触する時に前記照明機構７０が電流を通しなく、離脱する時に照明機構７０が電流を通し、前記スライド板１９の片側端面には引っかかり溝３０が設置され、前記円柱箱２０の左右両側端面には引っかかりブロック２３がスライドできるように設置され、前記引っかかりブロック２３の底端には復帰機構４２が固定的に設置され、前記スライド板１９の重力が前記復帰機構４２の弾力より小さく、前記スライド板１９が上にスライドし、前記スライド板１９と前記接触式センサー５５とを離脱させ、それにより前記照明機構７０を電流を通させ、同時に前記引っかかりブロック２３を前記引っかかり溝３０の中に引っかからせ、前記スライド板１９を落らせなく、それにより前記照明機構７０の光線を前記ガラス円柱１８に透らせ前記円柱箱２０の外部に照射させることができ、前記台座１０の頂端にはまた充電機構１６が設置される。
【００１２】
前記照明機構７０は前記中部チャンバ３２の中にスライドできるように設置されるスライド盤３４を含み、前記スライド盤３４の頂端には第一反射鏡３１が固定的に設置され、前記第一反射鏡３１が光線を前記ガラス円柱１８を透らせて前記円柱箱２０の外部に反射させることができ、前記第一反射鏡３１の中には柱３３が固定的に設置され、前記柱３３の上部分には四組の支えロッド２９が固定的に設置され、前記柱３３の頂部にはランプシェード２５が設置され、前記ランプシェード２５が透明的に設計され、前記ランプシェード２５の中にはライトチャンバ２８が設置され、前記支えロッド２９と前記ライトチャンバ２８の内壁とが固定的に連結され、これにより前記支えロッド２９が支え作用を果たし、前記ライトチャンバ２８の頂壁には照明ライト２７が固定的に設置され、前記照明ライト２７の周りにある前記ライトチャンバ２８の内壁には第一反射鏡２６が固定的に設置され、前記ランプシェード２５の頂端には頂板２４が固定的に設置され、前記頂板２４が前記円柱箱２０の上に覆うことができ、埃が前記中部チャンバ２８の中に落ちることを防ぎ、前記台座１０の頂端には円形溝１２が設置され、前記円形溝１２の中にはリール１３が回転できるように設置され、前記リール１３と前記円形溝１２の片側端壁との間にはねじりバネ１４が取付けられ、前記リール１３には電線１５が巻かれ、前記電線１５の一端が前記柱３３と一本の前記支えロッド２９とを貫通した後に前記照明ライト２７と電気的に接続され、前記電線１５のもう一端が前記接触式センサー５５と電気的に接続され、スライド盤３４が上にスライドし、ランプシェード２５を前記中部チャンバ３２から滑り出させ、それにより照明ライト２７を前記中部チャンバ３２から滑り出させることができる。
【００１３】
前記昇降機構７１は前記円柱箱２０の底部外周に回転できるように設置されるスリーブ１１を含み、前記スリーブ１１の底部が前記台座１０の頂部端面の中に回転できるように設置され、前記円形溝１２の右側にある前記台座１０の中には伝動チャンバ４７が設置され、前記伝動チャンバ４７の中には伝動軸４９が回転できるように設置され、前記伝動軸４９の外周には動力歯車５１が固定的に設置され、前記動力歯車５１と前記スリーブ１１の内壁とが噛み合い設置され、前記伝動軸４９の外周には端面歯車４８が固定的に設置され、前記伝動軸４９が前記動力歯車５１の頂部に位置しており、前記伝動チャンバ４７の頂壁には矩形溝４４が設置され、前記中部チャンバ３２の底壁には第一スライド溝１７が設置され、前記第一スライド溝１７と前記矩形溝４４との間にはねじロッド５４が回転できるように設置され、前記矩形溝４４の中に位置している前記ねじロッド５４の外周には伝動歯車４５が固定的に設置され、前記伝動歯車４５と前記端面歯車４８とが噛み合い設置され、前記第一スライド溝１７の中には二組の左右に対称している第一スライドブロック５３がスライドできるように設置され、前記第一スライドブロック５３と前記ねじロッド５４とがねじ山により連結され、前記スライド盤３４の底部端面には二組の左右に対称している第二スライド溝３６が設置され、前記第二スライド溝３６の中には第二スライドブロック３５がいずれもスライドできるように設置され、二組の前記第二スライドブロック３５と二組の前記第一スライドブロック５３との間には二組の昇降ロッド３７が交差できるように設置され、前記昇降ロッド３７がそれぞれ前記第二スライドブロック３５と、前記第一スライドブロック５３とヒンジにより連結され、且つ二組の前記昇降ロッド３７の中部がヒンジにより連結され、手動により前記スリーブ１１を回転させ、前記動力歯車５１を回転させ、それにより前記伝動軸４９を回転させ、前記伝動軸４９が前記端面歯車４８を回転連動させ、前記ねじロッド５４を回転させ、これにより前記昇降ロッド３７が前記スライド盤３４を上に突き上げる又は下に引き戻すことができる。
【００１４】
使用する時に、比較的に弱い光線が必要な時に、スライド板１９が上にスライドし、前記スライド板１９と前記接触式センサー５５とを離脱させ、それにより前記照明機構７０に電流を通させ、同時に前記引っかかりブロック２３を前記引っかかり溝３０の中に引っかからせ、前記スライド板１９を落らせなく、それにより前記照明機構７０の光線を前記ガラス円柱１８に透らせ前記円柱箱２０の外部に照射させることができ、比較的に強い光線が必要な時に、手動により前記スリーブ１１を回転させ、前記動力歯車５１を回転させ、それにより前記伝動軸４９を回転させ、前記伝動軸４９が前記端面歯車４８を回転連動させ、それにより前記端面歯車４８が前記伝動歯車４５を回転連動させ、前記伝動歯車４５が前記ねじロッド５４を回転連動させ、それにより前記第一スライドブロック５３を互いに近づかせることができ、それにより前記昇降ロッド３７が前記スライド盤３４を上に突き上げることができ、同時にスライド板１９を上にスライドさせ、接触式センサー５５とスライド板１９とを離脱させ、それにより照明機構７０を作動させ、ランプシェード２５が上に前記中部チャンバ３２から滑り出し、それにより照明ライト２７を前記中部チャンバ３２から滑り出させ、照明ライト２７を点灯した後に、光線が反射鏡２６により反射し、それにより前記円柱箱２０の底部をもっと明らかに照らさせる。
【００１５】
本発明の有益な効果は：本発明のベッドライトが弱い光と強い光の二種類の間に切り替えることができ、それにより人々の目が強い光に刺激されることを避け、また照明機構が中部チャンバの中に収納されることができ、照明ライトとランプシェードとが壊れにくく、同時に蓋が円柱箱の頂部に覆って埃を防ぐことができ、設置されるスライド板が本発明を暗闇の中につけやすいことができる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。